(57)【要約】      （修正有）【課題】タッチパネルの操作を良好に行うことができるだけでなく、日常生活にも邪魔にならず、ファッション性を向上させることができる手袋を提供する。【解決手段】指先部２１の正面側に設けられた導電部２２と、導電部２２の外面に設けられた導電性の突起部１０と、突起部１０を覆う導電性の被覆部２３とを備える。これにより、タッチパネルをピンポイントにタッチすることができる。また、突起部１０が被覆部２３によって覆われていることにより、突起部１０が紐や物に引っかかることを防止することができ、突起部１０を隠すことができる。【選択図】図１
0003190537.tif 000002
【実用新案登録請求の範囲】
【請求項１】
指先部の内面側に設けられた導電部と、
前記指先部の外面側に設けられた突起部と、
前記導電部に連結され、前記突起部を覆う導電性の被覆部と
を備えることを特徴とする手袋。
【請求項２】
前記導電部、前記突起部及び前記被覆部が、前記指先部のうち、親指部、人差し指部又は中指部の少なくともいずれか一つに設けられていることを特徴とする請求項１に記載の手袋。
【請求項３】
前記導電部、前記突起部及び前記被覆部が、前記親指部に設けられており、
前記突起部が、前記親指部の正面中央部よりも小指側に偏心し、かつ前記正面中央部よりも先端側に偏心した斜め偏心位置に設けられていることを特徴とする請求項２に記載の手袋。
【請求項４】
前記導電部、前記突起部及び前記被覆部が、前記親指部に設けられており、
前記突起部が、前記指先部の正面中央部よりも小指側に偏心した小指側偏心位置と、前記指先部の正面中央部よりも小指側に偏心し、かつ前記正面中央部よりも先端側に偏心した斜め偏心位置とに設けられていることを特徴とする請求項２に記載の手袋。
【請求項５】
前記導電部、前記突起部及び前記被覆部が、前記人差し指部に設けられており、
前記突起部が、前記人差し指部の正面中央部よりも小指側に偏心し、かつ前記正面中央部よりも先端側に偏心した斜め偏心位置に設けられていることを特徴とする請求項２から請求項４のいずれか一項に記載の手袋。
【請求項６】
前記導電部、前記突起部及び前記被覆部が、前記中指部に設けられており、
前記突起部が、前記中指部の正面中央部よりも小指側に偏心した小指側偏心位置のうち前記中指部の側方部に設けられていることを特徴とする請求項２から請求項５のいずれか一項に記載の手袋。
【請求項７】
前記導電部、前記突起部及び前記被覆部が、前記人差し指部に設けられており、
前記突起部が、前記人差し指部の正面中央部よりも小指側に偏心した小指側偏心位置のうち前記人差し指部の側方部に設けられていることを特徴とする請求項２から請求項４のいずれか一項に記載の手袋。
【請求項８】
前記導電部、前記突起部及び前記被覆部が、前記中指部に設けられており、
前記突起部が、前記中指部の正面中央部よりも小指側に偏心し、かつ前記正面中央部よりも先端側に偏心した斜め偏心位置に設けられていることを特徴とする請求項２、３、４又は７に記載の手袋。
【請求項９】
前記突起部の少なくともいずれか一つが、前記指先部の正面中央部よりも小指側に偏心した小指側偏心位置に設けられていることを特徴とする請求項２に記載の手袋。
【請求項１０】
前記突起部が、前記小指側偏心位置のうち前記指先部の側方部に設けられていることを特徴とする請求項９に記載の手袋。
【請求項１１】
前記突起部の少なくともいずれか一つが、前記指先部の正面中央部よりも先端側に偏心した先端側偏心位置に設けられていることを特徴とする請求項２、９又は１０に記載の手袋。
【請求項１２】
前記突起部の少なくともいずれか一つが、前記指先部の正面中央部よりも小指側に偏心し、かつ前記正面中央部よりも先端側に偏心した斜め偏心位置に設けられていることを特徴とする請求項２、９、１０又は１１に記載の手袋。
【請求項１３】
前記突起部が、平坦部に連結された球状部を備えており、
前記平坦部が前記指先部の内面側に設けられ、前記球状部が前記指先部の外面側に設けられていることを特徴とする請求項１から請求項１２のいずれか一項に記載の手袋。
【考案の詳細な説明】
【技術分野】
【０００１】
本考案は、タッチパネルの操作を容易にする手袋に関する。
【背景技術】
【０００２】
従来、防寒具や手を保護するものとして種々の手袋が利用されている。
昨今では、スマートホンやタブレット端末などのような携帯端末が普及している。このような携帯端末では、指先でタッチパネル（画面）に触れることによって各種操作が行われるようになっている。ところが、防寒具等として手袋を着用していると、指先が覆われるため、そのような携帯端末の操作を行うことが困難になる。
そこで、指先部に導電体を設けた手袋が利用されている（例えば、特許文献１参照。）。この手袋は、手に着用した状態であっても、指先部に導電体が設けられているため、この導電体をタッチパネルに当てることにより携帯端末等の操作を行うことができるようになっている。
【先行技術文献】
【特許文献】
【０００３】
【特許文献１】特開２００８−８１８９６号公報
【考案の概要】
【考案が解決しようとする課題】
【０００４】
しかしながら、このような手袋では、自分の指よりも大きな指先部に導電体が面状に延在して設けられるため、タッチパネル内に細かく配されたアイコンなどを適切に操作することが困難になるという問題がある。
また、タッチパネルに接触する接触面積の小さな突起を導電体に設けることが考えられるものの、このような突起を設けると、紐や物などが引っ掛かったり、見た目が悪くなったりしてしまうという問題もある。
【０００５】
本考案は、このような問題を解決するためになされたものであり、タッチパネルの操作を良好に行うことができるだけでなく、日常生活にも邪魔にならず、ファッション性を向上させることができる手袋を提供することを目的とする。
【課題を解決するための手段】
【０００６】
上記課題を解決するために、本考案は以下の手段を提供する。
本考案は、指先部の内面側に設けられた導電部と、前記指先部の外面側に設けられた突起部と、前記導電部に連結され、前記突起部を覆う導電性の被覆部とを備えることを特徴とする手袋。
【０００７】
この考案においては、指と導電部が接触した状態で、タッチパネルに被覆部を介して突起部をタッチさせる。
これにより、タッチパネルをピンポイントにタッチすることができる。
また、突起部が被覆部によって覆われていることにより、突起部が紐や物に引っかかることを防止することができ、突起部を隠すことができる。
【０００８】
また、本考案は、前記導電部、前記突起部及び前記被覆部が、前記指先部のうち、親指部、人差し指部又は中指部の少なくともいずれか一つに設けられていることを特徴とする。
【０００９】
この考案によれば、タッチパネルの操作として頻繁に使う親指、人差し指部又は中指部の少なくとも一つを使用することができ、利便性を向上させることができる。
【００１０】
また、本考案は、前記導電部、前記突起部及び前記被覆部が、前記親指部に設けられており、前記突起部が、前記親指部の正面中央部よりも小指側に偏心し、かつ前記正面中央部よりも先端側に偏心した斜め偏心位置に設けられていることを特徴とする。
【００１１】
この考案によれば、携帯端末等を把持した状態の自然の親指の回転位置で、タッチパネルを操作することができる。
【００１２】
また、本考案は、前記導電部、前記突起部及び前記被覆部が、前記親指部に設けられており、前記突起部が、前記指先部の正面中央部よりも小指側に偏心した小指側偏心位置と、前記指先部の正面中央部よりも小指側に偏心し、かつ前記正面中央部よりも先端側に偏心した斜め偏心位置とに設けられていることを特徴とする。
【００１３】
この考案によれば、タッチパネルの操作位置に応じて、いずれかの突起部を選択的にタッチさせることができ、操作性を向上させることができる。
【００１４】
また、本考案は、前記導電部、前記突起部及び前記被覆部が、前記人差し指部に設けられており、前記突起部が、前記人差し指部の正面中央部よりも小指側に偏心し、かつ前記正面中央部よりも先端側に偏心した斜め偏心位置に設けられていることを特徴とする。
【００１５】
この考案によれば、手首を斜め回転位置に配することができ、操作性を向上させることができる。
【００１６】
また、本考案は、前記導電部、前記突起部及び前記被覆部が、前記中指部に設けられており、前記突起部が、前記中指部の正面中央部よりも小指側に偏心した小指側偏心位置のうち前記中指部の側方部に設けられていることを特徴とする。
【００１７】
この考案によれば、人差し指の操作感を良好に保ちつつ、手首を縦回転位置に配することができ、長時間にわたって操作しても疲れにくくすることができる。
【００１８】
また、本考案は、前記導電部、前記突起部及び前記被覆部が、前記人差し指部に設けられており、前記突起部が、前記人差し指部の正面中央部よりも小指側に偏心した小指側偏心位置のうち前記人差し指部の側方部に設けられていることを特徴とする。
【００１９】
この考案によれば、人差し指の操作感を良好に保ちつつ、手首を縦回転位置に配することができ、長時間にわたって操作しても疲れにくくすることができる。
【００２０】
また、本考案は、前記導電部、前記突起部及び前記被覆部が、前記中指部に設けられており、前記突起部が、前記中指部の正面中央部よりも小指側に偏心し、かつ前記正面中央部よりも先端側に偏心した斜め偏心位置に設けられていることを特徴とする。
【００２１】
この考案によれば、手首を斜め回転位置に配することができ、操作性を向上させることができる。
【００２２】
また、本考案は、前記突起部の少なくともいずれか一つが、前記指先部の正面中央部よりも小指側に偏心した小指側偏心位置に設けられていることを特徴とする。
【００２３】
この考案によれば、タッチパネルに対して指先部を斜めに当てることができ、操作性を良好にすることができる。
【００２４】
また、本考案は、前記突起部の少なくともいずれか一つが、前記小指側偏心位置のうち前記指先部の側方部に設けられていることを特徴とする。
【００２５】
この考案によれば、手の甲が上を向く位置にまで手首を回転させ寝かせる必要がなく、手の甲が横に向き手首が立てられる縦回転位置に手首を配することができるため、手首の回転を抑制することができ、操作負担を軽減させることができる。
【００２６】
また、本考案は、前記突起部の少なくともいずれか一つが、前記指先部の正面中央部よりも先端側に偏心した先端側偏心位置に設けられていることを特徴とする。
【００２７】
この考案によれば、指先の先端で操作することができ、操作性を向上させることができる。
【００２８】
また、本考案は、前記突起部の少なくともいずれか一つが、前記指先部の正面中央部よりも小指側に偏心し、かつ前記正面中央部よりも先端側に偏心した斜め偏心位置に設けられていることを特徴とする。
【００２９】
この考案によれば、自然の指の回転位置で、タッチパネルを操作することができる。
【００３０】
また、本考案は、前記突起部が、平坦部に連結された球状部を備えており、前記平坦部が前記指先部の内面側に設けられ、前記球状部が前記指先部の外面側に設けられていることを特徴とする。
【００３１】
この考案によれば、指の腹を利用して安定して平坦部を押すことができるだけでなく、タッチパネル上に球状部を点接触させることができる。
【考案の効果】
【００３２】
本考案によれば、タッチパネルの操作を良好に行うことができるだけでなく、日常生活にも邪魔にならず、ファッション性を向上させることができる。
【図面の簡単な説明】
【００３３】
【図１】本考案の第１の実施形態における手袋を示す平面図である。
【図２】図１の親指部を小指側から見たときの様子を示す断面図である。
【図３】指先部の正面の小指側偏心位置を示す説明図である。
【図４】指先部の正面の先端側偏心位置を示す説明図である。
【図５】指先部の正面の斜め偏心位置を示す説明図である。
【図６】指先部の側面の側方部を示す説明図である。
【図７】スマートホンを把持して、親指部でタッチパネルを操作する様子を示す説明図である。
【図８】スマートホンを把持して、人差し指部でタッチパネルを操作する様子を示す説明図である。
【図９】スマートホンを把持して、中指部でタッチパネルを操作する様子を示す説明図である
【図１０】本考案の第２の実施形態における手袋を示す平面図である。
【考案を実施するための最良の形態】
【００３４】
（実施形態１）
以下、本考案の第１の実施形態における手袋について説明する。
図１は、本考案の第１実施形態としての手袋１を示す平面図である。
符号Ｗは、手袋の幅方向を示すものである。なお、ここでは、手の平側及び指の腹側を正面といい、手の甲側及び指の爪側を背面という。
手袋１は、手の平や手の甲を覆う本体部７を備えている。本体部７のうち、手の平側が本体部正面７ａとなり、手の甲側が本体部背面７ｂとなる。
本体部７の基端側には、手首の大きさに応じて拡大・縮小可能なゴム製の手首部８が設けられている。
また、本体部７の先端側には、親指部２、人差し指部３、中指部４、薬指部５及び小指部６が設けられている。これらの先端部分がそれぞれ指先部２１，３１，４１，５１，６１となる。
【００３５】
親指部２の指先部２１には、図２に示すように、指先部２１の内面２１ｂ側に設けられた導電部２２と、指先部２１の外面２１ａに設けられた突起部１０と、この突起部１０を覆う被覆部２３とが設けられている。
導電部２２は、導電性の繊維からなる布状部材である。この導電部２２は、親指の腹を覆うように面上に延在しており、当該親指の腹に接するようになっている。
突起部１０は、導電性の樹脂又は金属からなっている。この突起部１０は、球形状の球状部１０ａを備えている。この球状部１０ａは、矩形板状の平坦部１０ｂの一方の主面に連結されている。平坦部１０ｂは、導電性の樹脂又は金属からなっている。これら球状部１０ａと平坦部１０ｂとは一体に形成されており、例えば、オス凸形状のスナップボタンなどが利用可能である。そして、平坦部１０ｂが内面２１ｂ側に設けられ、球状部１０ａが指先部２１を貫通して外面２１ａ側に設けられている。すなわち、球状部１０ａは、指先部２１から外方（被覆部２３側）に向けられている。
被覆部２３は、導電性の繊維からなる布状部材である。この被覆部２３は、導電部２２と一体に形成されており、導電部２２と電気的に連結されている。そして、被覆部２３及び導電部２２は、指先部２１の縫い合わせ部２１ｃを介して、外面２１ａ側と内面２１ｂ側とにそれぞれ配されている。さらに、被覆部２３は、外面２１ａを覆っている。これにより、被覆部２３は、突起部１０を内方側に覆っている。
なお、図２に示す符号Ｄは、手袋の厚さ方向を示すものである。また、符号２ａは親指正面部を示し、符号２ｂは親指背面部を示すものである。
【００３６】
これら導電部２２、突起部１０及び被覆部２３は、人差し指部３及び中指部４にも設けられている。図１に示す符号３２，４２は、それぞれの導電部を示し、符号３３，４３は、それぞれの被覆部を示すものである。これらの基本的な構成は親指部２のものと同一であるので、ここでの詳細な説明は省略する。
ただし、突起部１０の取り付け位置が、親指部２及び人差し指部３と中指部４とで異なるので、当該取り付け位置について以下に説明する。
【００３７】
取り付け位置には、いくつかのバリエーションがあり得るので、まずは、それら取り付け位置について、図３から図６を参照して説明する。なお、突起部１０が取り付けられ得る位置としては、指先部２１，３１，４１，５１，６１でそれぞれ同一であるので、ここでは、親指部２を用いて説明する。
図３に示す符号Ａは、親指正面部２ａの正面中央部を示すものである。この正面中央部Ａは、親指正面部２ａの中央であって、親指の指紋の中央部分に相当する部位である。符号Ｌは、この正面中央部Ａを通り、指先部２１の長手方向に延びる基準縦線を示すものである。この基準縦線Ｌよりも、小指側（図３に対して左側）の領域が小指側偏心位置ＳＡとなる。図３において斜線で示す部分が小指側偏心位置ＳＡとなる。
【００３８】
図４に示す符号Ｓは、正面中央部Ａを通り、指先部２１の長手方向に直交した方向に延びる基準横線を示すものである。この基準横線Ｓよりも、先端側（図４に対して上側）の領域が先端側偏心位置ＴＡとなる。図４において斜線で示す部分が先端側偏心位置ＴＡとなる。
図５に示すように、親指正面部２ａにおいて、基準縦線Ｌ及び基準横線Ｓによって区画された領域のうち、基準縦線Ｌよりも小指側であって、かつ基準横線Ｓよりも先端側の領域（図５に対して親指正面部２ａの左上の領域）が、斜め偏心位置ＳＴとなる。すなわち、斜め偏心位置ＳＴは、小指側偏心位置ＳＡと先端側偏心位置ＴＡとが重なる領域である。図５において斜線で示す部分が斜め偏心位置ＳＴとなる。
図６は、親指部２の側面を小指側から見た様子を示す説明図である。
小指側偏心位置ＳＡのうち、縫い合わせ部２１ｃの近傍（指先部２１の側面）が、側方部ＳＳとなる。図６において、二点鎖線で示す領域が側方部ＳＳとなる。
【００３９】
このようなバリエーションのある取り付け位置において、親指部２、人差し指部３及び中指部４に設けられた突起部１０は、以下の取り付け位置に取り付けられている。
図１に示すように、親指部２の突起部１０は、斜め偏心位置ＳＴに取り付けられている。そのため、この突起部１０の球状部１０ａは、小指側の斜め上方に向けられている。
また、人差し指部３の突起部１０は、斜め偏心位置ＳＴに取り付けられている。そのため、この突起部１０の球状部１０ａは、小指側の斜め上方に向けられている。
さらに、中指部４の突起部１０は、小指側偏心位置ＳＡであって側方部ＳＳに取り付けられている。そのため、この突起部１０の球状部１０ａは、小指側の横方向に向けられている。
【００４０】
次に、このように構成された本実施形態における手袋１の使い方について説明する。
ここでは、手袋１を着用して、スマートホンを操作する場合について説明する。
図７に示すように、スマートホンＳＭは、静電容量式のタッチパネルＴＰに触れることによって操作を行うものである。
まず、利用者は、手首部８を通して手袋１を着用する。そして、利用者は、図７に示すように、手袋１を着用したまま、スマートホンＳＭを把持する。
この状態で、親指を使って操作する場合、利用者は、親指部２の指先部２１でタッチパネルＴＰにタッチする。このとき、被覆部２３を介して指先部２１の突起部１０をタッチパネルＴＰにピンポイントにタッチさせる。その突起部１０は斜め偏心位置ＳＴに設けられていることから、タッチパネルＴＰに対して軸線Ｎ２を回転中心にして指先部２１を斜めにした自然の状態でタッチすることができる。そして、親指部２を符号Ｍで示す方向に自由に動かして操作する。
【００４１】
また、図８に示すように、人差し指を使って操作する場合、利用者は、人差し指部３の指先部３１でタッチパネルＴＰにタッチする。このとき、被覆部３３を介して指先部３１の突起部１０をタッチパネルＴＰにピンポイントにタッチさせる。その突起部１０は斜め偏心位置ＳＴに設けられていることから、タッチパネルＴＰに対して軸線Ｎ３を回転中心にして指先部３１を斜めにした自然の状態でタッチする。また、このときの手首の回転位置は、手の甲が真上ではなく斜め上方を向くように斜め回転位置Ｐ１となる。この状態で、人差し指部３を符号Ｍで示す方向に自由に動かして操作する。
さらに、図９に示すように、中指を使って操作する場合、利用者は、中指部４の指先部４１でタッチパネルＴＰにタッチする。このとき、被覆部４３を介して指先部４１の突起部１０をタッチパネルＴＰにピンポイントにタッチさせる。その突起部１０は側方部ＳＳに設けられていることから、タッチパネルＴＰに対して軸線Ｎ４を回転中心にして指先部４１を縦にした状態でタッチする。また、このときの手首の回転位置は、手の甲及び手の平が横方向を向き手首が立てられた縦回転位置Ｐ２となる。この状態で、中指部４を符号Ｍで示す方向に自由に動かして操作する。
【００４２】
以上より、本実施形態における手袋１によれば、指先部２１，３１，４１にそれぞれ導電部２２，３２，４２及び突起部１０が設けられていることから、タッチパネルＴＰにタッチするときに、突起部１０をタッチパネルＴＰに当てることができ、タッチパネルＴＰの所定の箇所にピンポイントにタッチすることができる。そのため、指先部２１，３１，４１が実際の指より大きくても、利用者の操作感を向上させることができる。また、突起部１０がそれぞれ被覆部２３，３３，４３に覆われているため、突起部１０が紐や物に引っかかることもなく、見た目を悪くすることもない。
すなわち、タッチパネルの操作を良好に行うことができるだけでなく、日常生活にも邪魔にならず、ファッション性を向上させることができる。
また、突起部１０がそれぞれ被覆部２３，３３，４３に覆われているため、突起部１０を保護することができ、突起部１０の破損や紛失を防止することができる。
【００４３】
また、突起部１０が側方部ＳＳに設けられていることから、手の甲が上を向く位置にまで手首を回転させ寝かせる必要がなく、手の甲が横に向き手首が立てられる縦回転位置Ｐ２に手首を配することができるため、手首の回転を抑制することができ、操作負担を軽減させることができる。すなわち、手の甲が上を向く位置にまで手首を回転させると、前腕屈筋群が引っぱられ、手根管内の正中神経が圧迫されるため、手の疲れなどが生じやすい。しかし、本実施形態における手袋１によれば、手首を縦回転位置Ｐ２に配したまま操作することができるため、前腕屈筋群の緊張による正中神経の圧迫を抑制することができ、長時間にわたっても操作することができる。
また、突起部１０が斜め偏心位置ＳＴに設けられていることから、手の甲が上を向くまで手首を回転させることなく、自然の指の回転位置で、タッチパネルＴＰを操作することができる。
【００４４】
また、導電部２２、突起部１０及び被覆部２３が親指部２に設けられており、突起部１０が斜め偏心位置ＳＴに設けられていることから、スマートホンＳＭを把持した状態の自然の親指の回転位置で、タッチパネルＴＰを操作することができる。すなわち、スマートホンＳＭを把持して親指をタッチパネルＴＰの上に置くと、親指が軸線Ｎ２を回転中心としてタッチパネルＴＰに対して斜めになる。その斜めの回転位置のまま親指部２を操作することができるので、操作感を向上させることができる。なお、親指による操作は、頻繁に行われることから、親指部２の斜め偏心位置ＳＴに突起部１０が設けられることにより、頻繁に使う指における操作性を良好にすることができ、利便性を向上させることができる。
【００４５】
また、導電部３２、突起部１０及び被覆部３３が人差し指部３に設けられており、突起部１０が斜め偏心位置ＳＴに設けられていることから、タッチパネルＴＰに対して軸線Ｎ３を回転中心として指先部３１を斜めにした自然の状態でタッチすることができる。そのため、手の甲が上を向く位置にまで手首を回転させることがなく、手首を斜め回転位置Ｐ１に配することができるため、正中神経の圧迫を抑制することができ、長時間にわたる操作を行っても疲れにくくすることができる。なお、人差し指による操作は、頻繁に行われることから、人差し指部３の斜め偏心位置ＳＴに突起部１０が設けられることにより、頻繁に使う指における操作性を良好にすることができ、利便性を向上させることができる。
【００４６】
また、導電部４２、突起部１０及び被覆部４３が中指部４に設けられており、突起部１０が側方部ＳＳに設けられていることから、タッチパネルＴＰに対して軸線Ｎ４を回転中心として指先部４１を縦にした状態でタッチすることができる。そのため、手首を縦にすることができ、正中神経の圧迫を抑制することができることから、長時間にわたる操作を行っても疲れにくくすることができる。なお、中指による操作は、頻繁に行われることから、中指部４の側方部ＳＳに突起部１０が設けられることにより、頻繁に使う指における操作性を保ちつつ、疲れにくくすることができる。
また、親指部２及び人差し指部３の突起部１０が斜め偏心位置ＳＴに設けられ、かつ、中指部４の突起部１０が側方部ＳＳに設けられていることから、それら親指部２、人差し指部３又は中指部４を選択的に使用することができる。例えば、簡単な操作のように短期的に操作する場合には、親指部２又は人差し指部３を使用し、時間をかけてじっくり操作する場合や疲れてきた場合などには、中指部４を使用するなど、利用者の状況に応じて使用する指を使い分けることができる。
【００４７】
また、球状部１０ａが平坦部１０ｂに連結され、平坦部１０ｂが内面２１ｂ側に設けられているため、指の腹を利用して安定して平坦部１０ｂを押すことができ、指で押したときの圧力を、平坦部１０ｂを介して球状部１０ａに伝えることができる。また、球状部１０ａが外面２１ａ側に設けられ被覆部２３側に向けられていることから、タッチパネルＴＰ上に球状部１０ａを点接触させることができ、どのような角度でも、よりピンポイントに操作することができる。さらに、小指側偏心位置ＳＡ、先端側偏心位置ＴＡ、斜め偏心位置ＳＴ又は、側方部ＳＳその他の指先のどの位置に取り付けても、球状部１０ａをタッチパネルＴＰに点接触させることができるため、突起部１０をすべての指に使用することができ、部品点数を減少させることができる。
【００４８】
（実施形態２）
次に、本考案の第２の実施形態について説明する。
図１０は、本考案の第２の実施形態を示したものである。
図１０において、図１から図９に記載の構成要素と同一部分については同一符号を付し、その説明を省略する。
この実施形態と上記第１の実施形態とは基本的構成は同一であり、ここでは主として異なる点について説明する。
【００４９】
本実施形態における手袋１ａにおいては、親指部２、人差し指部３及び中指部４に、それぞれ導電部２２，３２，４２、突起部１０及び被覆部２３，３３，４３が設けられている。
親指部２には、斜め偏心位置ＳＴ及び小指側偏心位置ＳＡのそれぞれに突起部１０が設けられている。
また、人差し指部３の突起部１０は、側方部ＳＳに設けられている。
さらに、中指部４の突起部１０は、斜め偏心位置ＳＴに設けられている。
【００５０】
本実施形態における手袋１ａによれば、第１の実施形態における手袋１と同様の効果を奏することができる。
また、親指部２の斜め偏心位置ＳＴだけでなく、小指側偏心位置ＳＡにも突起部１０が設けられていることから、タッチパネルＴＰの操作位置に応じて、いずれかの突起部１０を選択的にタッチさせることができ、操作性を向上させることができる。
また、人差し指部３の突起部１０が側方部ＳＳに設けられていることから、一番使い易い人差し指の操作感を良好に保ちつつ、手首を縦回転位置Ｐ２配することができ、長時間にわたって操作しても疲れにくくすることができる。
また、中指部４の突起部１０が斜め偏心位置ＳＴに設けられていることから、手首を斜め回転位置Ｐ１に配することができ、操作性を向上させることができる。
また、親指部２の突起部１０が斜め偏心位置ＳＴ及び小指側偏心位置ＳＡに設けられ、かつ中指部４の突起部１０が斜め偏心位置ＳＴに設けられ、かつ、人差し指部３の突起部１０が側方部ＳＳに設けられていることから、それら親指部２、人差し指部３又は中指部４を選択的に使用することができる。例えば、簡単な操作のように短期的に操作する場合には、親指部２又は中指部４を使用し、時間をかけてじっくり操作する場合や疲れてきた場合などには、人差し指部３を使用するなど、利用者の状況に応じて使用する指を使い分けることができる。
【００５１】
なお、本考案の技術範囲は上記の実施形態に限定されるものではなく、本考案の趣旨を逸脱しない範囲において、種々の変更を加えることが可能である。
例えば、平坦部１０ｂの裏面に緩衝材を設けるようにしてもよい。これにより、タッチパネルＴＰを押す際の指への負担を軽減させることができるだけでなく、寒冷地などにおいて金属製の突起部１０の低い温度が指先に伝わることを防止することができる。
また、突起部１０の取り付け位置は、上記実施形態に限ることはなく、適宜変更可能である。例えば、親指部２、人差し指部３、中指部４、薬指部５及び小指部６、並びに、小指側偏心位置ＳＡ、先端側偏心位置ＴＡ、斜め偏心位置ＳＴ、側方部ＳＳ及びその他の位置における組み合わせにおいて、設置数や設置位置などは適宜変更可能である。具体的には、親指部２、人差し指部３、中指部４、薬指部５及び小指部６のうち、いずれか一つに設けるようにしてもよい。また、任意の２つの指に設けてもよい。例えば、親指部２と人差し指部３や、親指部２と中指部４や、人差し指部３と中指部４など、もちろんその他の２本の組み合わせであってもよい。また、任意の３本、４本又は５本全ての指に設けてもよい。
【００５２】
また、突起部１０を先端側偏心位置ＴＡに設けてもよい。これにより、指先の先端で操作することができ、操作性を向上させることができる。
また、突起部１０を側方部ＳＳ以外の小指側偏心位置ＳＡに設けてもよい。これにより、手首を斜め回転位置Ｐ１に配することができ、操作性を良好にすることができる。
突起部１０を側方部ＳＳのうちの正面側に設けているが、背面側に設けてもよい。この場合、導電部や被覆部を背面側にも設けるのは言うまでもない。
また、突起部１０を各指の正面中央部Ａに設けてもよい。
また、図１における親指部２の突起部１０を、先端側偏心位置ＴＡ、小指側偏心位置ＳＡ、側方部ＳＳ又は正面中央部Ａに設けてもよい。
また、図１における人差し指部３の突起部１０を、先端側偏心位置ＴＡ、小指側偏心位置ＳＡ、側方部ＳＳ又は正面中央部Ａに設けてもよい。
また、図１における中指部４の突起部１０を、先端側偏心位置ＴＡ、小指側偏心位置ＳＡ、斜め偏心位置ＳＴ又は正面中央部Ａに設けてもよい。
また、１本の指に設ける突起部１０の設置数及び設置場所は、適宜変更可能である。例えば、人差し指部３や中指部４などにおいて、それぞれの指の斜め偏心位置ＳＴと先端側偏心位置ＴＡとに複数設けたり、斜め偏心位置ＳＴと側方部ＳＳとに複数設けたりしてもよい。
また、操作する機器として、スマートホンのタッチパネルＴＰを例示しているが、これに限ることはなく、適宜変更可能である。例えば、タブレット端末などの他の携帯端末だけでなく、タッチパネル式の操作画面を有する券売機やATMなどの装置にも適用可能である。
【００５３】
なお、指先部２１の部材は、導電部材であっても非導電部材であってもよい。
また、突起部１０を導電部材としているが、これに限ることはなく、非導電部材であってもよい。
また、導電部２２を指先部２１の内面側に設けているが、これに限ることはなく、その構成は適宜変更可能である。例えば、指先部２１の指先正面部を導電部材にして、その指先正面部と被覆部２３とを電気的に連結させてもよい。この場合、指先正面部が導電部となるため、指先部２１の別部材としての導電部２２は不要となる。
また、突起部１０の形状は、例えば円柱形状や円錐形状など適宜変更可能である。
また、突起部１０を平坦部１０ｂによって取り付けているが、これに限ることはなく、テープや接着剤など適宜変更可能である。このとき、導電性のテープや接着剤を使用することが好ましい。
【符号の説明】
【００５４】
１，１ａ  手袋
２  親指部
３  人差し指部
４  中指部
１０  突起部
１０ａ  球状部
１０ｂ  平坦部
２１，３１，４１，５１，６１  指先部
２２，３２，４２  導電部
２１ａ  外面
２２ｂ  内面
２３，３３，４３  被覆部
Ａ  正面中央部
ＳＡ  小指側偏心位置
ＳＳ  側方部
ＳＴ  斜め偏心位置
ＴＡ  先端側偏心位置
【図１】
0003190537.tif 000003
【図２】
0003190537.tif 000004
【図３】
0003190537.tif 000005
【図４】
0003190537.tif 000006
【図５】
0003190537.tif 000007
【図６】
0003190537.tif 000008
【図７】
0003190537.tif 000009
【図８】
0003190537.tif 000010
【図９】
0003190537.tif 000011
【図１０】
0003190537.tif 000012